(57)【要約】  【課題】余分なコストを必要とせずに、閉鎖手段を容易に識別できる単純な袋を提供する。  【解決手段】相補的手段(44, 48)を有するウェブ(43, 47)からなるストリップ(42, 46)に基づく閉鎖手段(40)を備えるパッケージング袋。ストリップ(42, 46)のウェブ(43, 47)が第１の色のものであり、袋の壁面(14, 16)を構成するフィルムは、まず不透明で、ストリップのウェブ(43, 47)の色とは少なくともその付近において異なる第２の色のものであり、第二に閉鎖手段(40)に沿って延在する第１の色の細い連続したマージン部だけが袋の外側から見えるようにウェブ(43, 44)の大部分を覆っている。【選択図】    図２
2006290467.tif 000002
【特許請求の範囲】
【請求項１】
相補的手段(44, 48)を保有するウェブ(43, 47)から構成されるストリップ(42, 46)に基づく閉鎖手段(40)を備えるパッケージング袋であって、ストリップ(42, 46)のウェブ(43, 47)が第１の色のものであり、袋の壁面(14, 16)を構成するフィルムは、まず不透明で、ストリップのウェブ(43, 47)の色とは少なくともその付近において異なる第２の色のものであり、第二に閉鎖手段(40)に沿って延在する第１の色の細い連続したマージン部だけが袋の外側から見えるようにウェブ(43, 44)の大部分を覆っていることを特徴とする袋。
【請求項２】
閉鎖手段(40)を動作させるためのスライダー(60)をさらに備えることを特徴とする、請求項１に記載の袋。
【請求項３】
スライダー(60)が閉鎖手段(40)とは異なる色のものであることを特徴とする、請求項2に記載の袋。
【請求項４】
袋の本体(14, 16)を構成するフィルムが不透明で色が白色であることを特徴とする、請求項１〜３のいずれか１項に記載の袋。
【請求項５】
約１０〜２０ｃｍの厚みを与えることを特徴とする、請求項１〜４のいずれか１項に記載の袋。
【請求項６】
少なくとも１つのベローズ(16)を備えることを特徴とする、請求項１〜５のいずれか１項に記載の袋。
【請求項７】
紙おむつ用パッケージを構成することを特徴とする、請求項１〜６のいずれか１項に記載の袋。
【請求項８】
閉鎖手段(40)がベローズ(16)上に位置することを特徴とする、請求項１〜７のいずれか１項に記載の袋。
【請求項９】
閉鎖手段(40)が袋の３辺にまたがってＵ字形に延在していることを特徴とする、請求項１〜８のいずれか１項に記載の袋。
【請求項１０】
着色ウェブ(43, 47)の見える幅が１〜５ｍｍの範囲内、有利には約３ｍｍあることを特徴とする、請求項１〜９のいずれか１項に記載の袋。
【発明の詳細な説明】
【技術分野】
【０００１】
本発明は、使用者が随意に続けて開閉することができる手段を備えた袋(バッグ又はサシェ)の分野に関する。
【背景技術】
【０００２】
この種の数多くの袋がこれまでに提案されてきた。
従来のほとんどの袋はいずれも、それらが係合すると袋が閉じ、分離すると袋を開くことができるようになっている、雄／雌型又はフック型の相補的手段を保有するウェブを有する２つのストリップ（帯状片）の形態の閉鎖手段（ファスナー）を備えている。
【０００３】
さらにより詳しくは、現在は、開閉操作を容易にするスライダー付きの係る閉鎖手段を備えることがトレンドになっている。
理論的には、これらの閉鎖手段はどれもそれを装着したパッケージング袋の使用を最適化することができるようにすべきである。まず、上記閉鎖手段は、特にスライダーを設けたものの場合、袋を開くことと、その中身の取り出しを容易にすべきである。次に、開けた後の袋を再び閉じた時に、中身の未使用の部分を環境、塵などから保護して保存することができると同時に、袋を好都合な保管に適当なその初期形態に戻すことができるようにすることができるべきである。
【０００４】
それにもかかわらず、実際には、多くのユーザーが、もちろん知らないか不注意のせいで、このように利用可能に作られた閉鎖手段を活用せずに、袋の中身を取り出すのに、例えば、袋が熱可塑性材料製のものである場合に、特に袋を引きちぎったり、切ったりして袋を単に部分的に破ってしまう。
【０００５】
この問題の典型的な例は、紙おむつ（乳児用おむつ）のパッケージ用の袋に関する。
【発明の開示】
【発明が解決しようとする課題】
【０００６】
本発明の目的は既存の袋を改善することである。
【課題を解決するための手段】
【０００７】
本発明によれば、この目的は、相補的手段を保有するウェブからなるストリップに基づく閉鎖手段を備えるパッケージング袋であって、ストリップのウェブが第１の色のものであり、袋の壁面を構成するフィルムは、まず不透明で、ストリップのウェブの色とは少なくともその付近において異なる第２の色のものであり、第二に閉鎖手段に沿って延在する第１の色の細い連続したマージン部だけが袋の外側から見えるようにウェブの大部分を覆っていることを特徴とする袋により達成される。
【発明の効果】
【０００８】
後述するように、本発明に係るこの提案は、従来の袋に比べて追加のコストをかけずに袋を簡単に製造すると共に、ユーザーが確実に閉鎖手段を使用するようにユーザーを効果的に仕向けることを可能にする。
【発明を実施するための最良の形態】
【０００９】
本発明の他の特徴、目的及び利点は、制限を意図しない例示として示した添付図面を参照した以下の詳細な説明を読むと明らかとなろう。
添付の図１は本発明の典型的な袋１０を示す。袋１０は、その両側の主面１４の間にかなりの厚み１２を与えるという意味で大容積であることが見られる。「かなりの」厚みとは典型的には１０〜２０ｃｍの範囲内の厚みを意味する。
【００１０】
これに制限するものではないが、このような厚み１２は、図２に示されるように、ベローズ（プリーツ折り）１６を袋の主面１４に連結するように用いることにより得ることがえきる。
【００１１】
このようなベローズ１６を作製する手段は当業者には周知である。従って、それについては以下には詳しく説明しない。
本発明の好ましい適用例は紙おむつを包装するためのパッケージング袋の製造にある。
【００１２】
袋１０は、閉鎖手段４０を備える。図１に示す好適態様において、閉鎖手段４０は、ベローズ１６の外周に、即ち、ベローズ１６が袋の壁面１４に接続されている帯域に配置されている。但し、本発明では閉鎖手段４０の位置はこの特定の位置に制限されるものではないことは当然である。閉鎖手段は任意の他の位置に、例えば、ベローズ１６に対して横方向を向くように主壁面１４のエッジに沿って設けることもできよう。
【００１３】
さらにより詳しくは、添付の図１に示した好適態様においては、閉鎖手段４０は、使用時に全体としてＵ字形状である。すなわち、閉鎖手段４０は主面１４の一方にずっとに沿って延在し、さらにその両側で袋の両側の側面（マチ）にもまたがって延在している。繰り返すが、無論、本発明は閉鎖手段４０に対してこの特定の形状に制限されるものではない。
【００１４】
添付の図１に見られるように、閉鎖手段４０はスライダー６０と組み合わせることが好ましい。
このようなスライダーの一般的な構造は当業者には周知であるので、以下では詳細には説明しない。
【００１５】
但し、スライダー６０は好ましくは熱可塑性材料製のものであることは想起されたい。スライダーは、２つのサイドフランク部と中央の低い壁面部とを保有するベース部材から構成される。２つのサイドフランク部と中央壁面部とが一緒になって２つの非平行チャネルを画成し、各チャネルが閉鎖手段４０の２つのストリップのそれぞれ一方の少なくとも一部を受け入れる。こうして、スライダー６０を第１の方向に動かすと、それが２つの閉鎖ストリップを互いに近づくように動かして、袋を閉じるようにする。逆に、スライダー６０を反対方向に動かすと、それが２つの閉鎖ストリップを分離して、袋を開くようにする。
【００１６】
図２に見られるように、閉鎖手段４０は、それぞれ相補的手段４４、４８を保有する支持ウェブ４３、４７を含んでいる２つのストリップ４２及び４６からなる。図２の形態では、該手段４４、４８は、相補的な雄／雌構造により構成される。但し、変更例では、手段４４、４８は、他の等価の構造、例えば、相補的フックにより置換されていてもよい。
【００１７】
２つの閉鎖ストリップ４２、４６は、袋を構成するフィルム、より詳しくは主壁面１４の一方とベローズ１６の両側の一方とに連結されている。連結は任意の適当な手段、好ましくはヒートシールによる結合によって行われる。
【００１８】
上述したように、本発明によれば、ウェブ４３、４７は、袋の主壁面１４及びベローズ１６を構成するフィルムの色とは異なる別の色で着色されている。典型的かつ非制限的な例として、例えば、ウェブ４３、４７は緑色または赤色としてもよい。
【００１９】
適当であれば、ウェブ４３及び４７は白色であってもよい。但し、袋を構成するフィルムそれ自体が不透明で他の何らかの色のものであることが条件である。
また、上述したように、そして図１及び２に見ることができるように、袋の主壁面１４及びベローズ１６を構成する不透明フィルムはウェブ４３、４７の実質部分を覆っていて、ウェブ４３、４７の細い連続したマージン部だけが袋の外側から閉鎖手段４０にずっと沿って見えるようになっている。
【００２０】
図２では、このようにして外部から見え、従って上記マージン部を構成しているウェブ４３及び４７の部分は、参照番号４５及び４９で示されている。
当業者であれば、上記説明を読み、そして添付図面を検査すると、本発明は単純な解決手段を与えることが理解されよう。特に、本発明に従って提案された手段は、従来の袋に比べて余分な製造コストにつながることがない。
【００２１】
さらに本発明はユーザーに効果的な案内を提供する。ユーザーの注目は、閉鎖手段４０を識別するマージン部４５、４９と袋の本体との間に存在する色のコントラストのため、閉鎖手段４０に向けられる。こうして、特に閉鎖手段４０がスライダー６０を備えている場合には、ユーザーはこのラインに従うように仕向けられる。
【００２２】
これに関して、本発明によれば、スライダー６０はそれ自体がウェブ４３、４７の色とは異なる別の色のものにして、ユーザーがスライダー６０を容易に識別できるようにすることが好ましい。非制限的な例として、例えば、マージン部４２及び４６が緑または赤色である場合に、スライダー６０を白色とすることができる。
【００２３】
非制限的な例として、袋の主壁面１４及びベローズ１６を構成するフィルムを超えて突出しているウェブ４３、４７の幅４５、４９は１〜５ｍｍの範囲内、典型的には約３ｍｍであることが好ましい。当業者の留意は、特に閉鎖手段を着色したストリップで作製することについては従来技術にも提案が既にあることに向かうであろう。しかし、これまで提案されたこのような閉鎖手段のほぼ全ては、部分的な練り込み着色、すなわち、異なる色の複数の材料を同時に共押出することを必要とする複雑な押出ヘッドが必要であるため、製造するのに比較的複雑かつ高価である。
【００２４】
本発明は、支持ウェブ４３、４７の全幅にわたって均一な色の閉鎖ストリップを提案し、同時にこの閉鎖手段とは異なる色のフィルムを用いて、支持ウェブの大部分を覆うようにして、連続した色の細いマージン部により閉鎖手段を識別可能にする技術的効果を付与することによって、従来技術の上記問題点に対する鮮やかな解決手段を提供する。
【００２５】
もちろん、本発明は上述した特定の態様に制限されず、その技術思想の範囲内で任意の変更例を包含する。
特に、本発明に係る袋は任意の他の付属物を備えていてもよい。非制限的な例として、図１は、本発明に係る袋のベローズ１６に取付けられた持ち手（ハンドル）７０を図式的に示す。
【図面の簡単な説明】
【００２６】
【図１】本発明に係るパッケージング袋の略式斜視図である。
【図２】本発明に係る袋の断面図である。
【符号の説明】
【００２７】
１０：袋、１２：袋の厚み、１４：袋の主壁面、１６：ベローズ、２０：フィルム、４０：閉鎖手段、４２，４６：閉鎖ストリップ、４３，４７：支持ウェブ、４４，４８：相補的手段、４５，４９：マージン部、６０：スライダー、７０：持ち手
【図１】
2006290467.tif 000003
【図２】
2006290467.tif 000004